(57)【要約】【課題】充電可能電池の異常を任意のタイミングで実施すること。【解決手段】充電可能電池の異常を検出する充電可能電池異常検出装置１において、充電可能電池の内部抵抗の値を算出する算出手段（ＣＰＵ１０ａ）と、充電可能電池が充電中または放電中であることを判定する判定手段（電流センサ１２、ＣＰＵ１０ａ）と、判定手段によって充電可能電池が充電中または放電中と判定された場合に、算出手段によって算出された内部抵抗の値が、放電中に減少するか、または、充電中に増加するときは、充電可能電池に異常が発生していると判断する判断手段（ＣＰＵ１０ａ）と、判断手段による判断結果を提示する提示手段（通信部１０ｄ）と、を有する。【選択図】図１
2019131741.tif 000002
【特許請求の範囲】
【請求項１】
充電可能電池の異常を検出する充電可能電池異常検出装置において、
前記充電可能電池の内部抵抗の値を算出する算出手段と、
前記充電可能電池が充電中または放電中であることを判定する判定手段と、
前記判定手段によって前記充電可能電池が充電中または放電中と判定された場合に、前記算出手段によって算出された前記内部抵抗の値が、放電中に減少するか、または、充電中に増加するときは、前記充電可能電池に異常が発生していると判断する判断手段と、
前記判断手段による判断結果を提示する提示手段と、
を有することを特徴とする充電可能電池異常検出装置。
【請求項２】
前記判断手段は、前記判定手段によって前記充電可能電池が充電中と判定された場合に、前記内部抵抗の値が増加しているときには、前記充電可能電池が短絡していると判断することを特徴とする請求項１に記載の充電可能電池異常検出装置。
【請求項３】
前記判断手段は、前記判定手段によって前記充電可能電池が放電中と判定された場合に、前記内部抵抗の値が正常時よりも増加しているときには、前記充電可能電池が異常と判断することを特徴とする請求項１に記載の充電可能電池異常検出装置。
【請求項４】
前記判断手段は、前記判定手段によって前記充電可能電池が放電中と判定された場合に、前記内部抵抗の値が正常時よりも増加しているときであって、増加後に減少に転じる場合は転極と判断し、それ以外の場合は短絡と判断することを特徴とする請求項１に記載の充電可能電池異常検出装置。
【請求項５】
前記判断手段は、その時点における前記内部抵抗の値と、正常時である過去の所定の時点における前記内部抵抗の比または差を求め、当該比または差が所定の閾値を上回る場合には異常と判定することを特徴とする請求項３または４のいずれか１項に記載の充電可能電池異常検出装置。
【請求項６】
前記判断手段は、前記内部抵抗Ｒの所定の時間あたりの増加分ΔＲを、充電率ＳＯＣの所定の時間あたりの変化量ΔＳＯＣ（＜０）で除することで得られる値ΔＲ／ΔＳＯＣが、正常時である過去の所定の時点における当該値（＜０）よりも小さい場合には異常と判定することを特徴とする請求項３または４のいずれか１項に記載の充電可能電池異常検出装置。
【請求項７】
前記算出手段は、所定の時間内における電圧の変動値を、同じく所定の時間内における電流の変動値によって除することで前記内部抵抗の値を求めることを特徴とする請求項１乃至６のいずれか１項に記載の充電可能電池異常検出装置。
【請求項８】
前記充電可能電池の電圧を検出する電圧検出手段を有し、
前記電圧検出手段によって前記充電可能電池を構成する１のセルに対応する電圧が降下したことを検出した場合には、前記判断手段は、前記充電可能電池に異常が発生していると判断することを特徴とする請求項１乃至７のいずれか１項に記載の充電可能電池異常検出装置。
【請求項９】
前記判断手段は、前記充電可能電池に異常が発生していると判断した時点以降のある時点における前記内部抵抗の値を、異常と判断した時点以降における前記内部抵抗の最大値で除算して得られる値が所定の閾値未満になった場合には異常が解消したと判断することを特徴とする請求項１乃至８のいずれか１項に記載の充電可能電池異常検出装置。
【請求項１０】
前記判断手段は、前記充電可能電池に異常が発生していると判断した際の前記内部抵抗の値が増加した後に減少した場合には前記転極が解消したと判断することを特徴とする請求項４項に記載の充電可能電池異常検出装置。
【請求項１１】
前記判断手段は、前記充電可能電池に異常が発生していると判断した後に、前記充電可能電池の電圧が所定の閾値以上増加した場合には異常が解消したと判断することを特徴とする請求項１乃至１０のいずれか１項に記載の充電可能電池異常検出装置。
【請求項１２】
充電可能電池の異常を検出する充電可能電池異常検出方法において、
前記充電可能電池の内部抵抗の値を算出する算出ステップと、
前記充電可能電池が充電中または放電中であることを判定する判定ステップと、
前記判定ステップにおいて前記充電可能電池が充電中または放電中と判定された場合に、前記算出ステップにおいて算出された前記内部抵抗の値が、放電中に減少するか、または、充電中に増加するときは、前記充電可能電池に異常が発生していると判断する判断ステップと、
前記判断ステップにおける判断結果を提示する提示ステップと、
を有することを特徴とする充電可能電池異常検出方法。
【発明の詳細な説明】
【技術分野】
【０００１】
本発明は、充電可能電池異常検出装置および充電可能電池異常検出方法に関するものである。
【背景技術】
【０００２】
充電可能電池の異常を検出する技術としては、例えば、特許文献１および特許文献２に開示される技術がある。【０００３】
特許文献１には、直列結線リチウム二次電池モジュール内の単電池の転極を事前に予測検知し、警報ランプによって特定すると共に、残された電池でもって継続してモジュールとしての使用を可能とした充電可能に関する技術が開示されている。【０００４】
特許文献２には、完成後の電池を２段階の定電流すなわち第１の放電電流Ｉａと、第２の放電電流Ｉｂ（Ｉｂ＜Ｉａ）とにより放電し、その際の電圧変化すなわち第１の放電電圧と第２の放電電圧との差を放電電流の差から内部抵抗成分として求めることで、電池の内部短絡を検出する技術が開示されている。
【先行技術文献】
【特許文献】
【０００５】
【特許文献１】特開平０６−８９７４３号公報
【特許文献２】特開２００２−３１３４３５号公報
【発明の概要】
【発明が解決しようとする課題】
【０００６】
ところで、特許文献１に開示された技術では、電池モジュールを構成する単電池（セル）の電圧を計測する必要がある。一般的に、電池モジュールは密封されていることから、単電池の電圧を測定することが困難であり、転極を検出することができないという問題点がある。【０００７】
また、特許文献２に開示された技術では、車両搭載時においては、負荷電流の制限が困難であるため、内部短絡を検出するタイミングが限られる。このため、短絡の発生から検知までの遅れが生じるという問題点がある。【０００８】
本発明は、以上のような状況に鑑みてなされたものであり、充電可能電池の異常を任意のタイミングで実施することが可能な充電可能電池異常検出装置および充電可能電池異常検出方法を提供することを目的としている。
【課題を解決するための手段】
【０００９】
上記課題を解決するために、本発明は、充電可能電池の異常を検出する充電可能電池異常検出装置において、前記充電可能電池の内部抵抗の値を算出する算出手段と、前記充電可能電池が充電中または放電中であることを判定する判定手段と、前記判定手段によって前記充電可能電池が充電中または放電中と判定された場合に、前記算出手段によって算出された前記内部抵抗の値が、放電中に減少するか、または、充電中に増加するときは、前記充電可能電池に異常が発生していると判断する判断手段と、前記判断手段による判断結果を提示する提示手段と、を有することを特徴とする充電可能電池異常検出装置。
このような構成によれば、充電可能電池の異常を任意のタイミングで実施することが可能となる。【００１０】
また、本発明は、前記判断手段は、前記判定手段によって前記充電可能電池が充電中と判定された場合に、前記内部抵抗の値が増加しているときには、前記充電可能電池が短絡していると判断することを特徴とする。
このような構成によれば、短絡を任意のタイミングで簡易に検出することができる。【００１１】
また、本発明は、前記判断手段は、前記判定手段によって前記充電可能電池が放電中と判定された場合に、前記内部抵抗の値が正常時よりも増加しているときには、前記充電可能電池が異常と判断することを特徴とする。
このような構成によれば、通常の値との比較で異常を任意のタイミングで簡易に検出することができる。【００１２】
また、本発明は、前記判断手段は、前記判定手段によって前記充電可能電池が放電中と判定された場合に、前記内部抵抗の値が正常時よりも増加しているときであって、増加後に減少に転じる場合は転極と判断し、それ以外の場合は短絡と判断することを特徴とする。
このような構成によれば、転極および短絡を任意のタイミングで簡易に検出することができる。【００１３】
また、本発明は、前記判断手段は、その時点における前記内部抵抗の値と、正常時である過去の所定の時点における前記内部抵抗の比または差を求め、当該比または差が所定の閾値を上回る場合には異常と判定することを特徴とする。
このような構成によれば、内部抵抗値の比較によって異常を簡易に検出することができる。【００１４】
また、本発明は、前記判断手段は、前記内部抵抗Ｒの所定の時間あたりの増加分ΔＲを、充電率ＳＯＣの所定の時間あたりの変化量ΔＳＯＣ（＜０）で除することで得られる値ΔＲ／ΔＳＯＣが、正常時である過去の所定の時点における当該値（＜０）よりも小さい場合には異常と判定することを特徴とする。
このような構成によれば、内部抵抗と充電率との関係に基づいて異常を簡易に検出することができる。【００１５】
また、本発明は、前記算出手段は、所定の時間内における電圧の変動値を、同じく所定の時間内における電流の変動値によって除することで前記内部抵抗の値を求めることを特徴とする。
このような構成によれば、内部抵抗を簡易に算出することができる。【００１６】
また、本発明は、前記充電可能電池の電圧を検出する電圧検出手段を有し、前記電圧検出手段によって前記充電可能電池を構成する１のセルに対応する電圧が降下したことを検出した場合には、前記判断手段は、前記充電可能電池に異常が発生していると判断することを特徴とする。
このような構成によれば、電圧も参照して、異常の有無をより正確に判断することができる。【００１７】
また、本発明は、前記判断手段は、前記充電可能電池に異常が発生していると判断した時点以降のある時点における前記内部抵抗の値を、異常と判断した時点以降における前記内部抵抗の最大値で除算して得られる値が所定の閾値未満になった場合には異常が解消したと判断することを特徴とする。
このような構成によれば、異常の発生だけでなく、解消についても判断することができる。【００１８】
また、本発明は、前記判断手段は、前記充電可能電池に異常が発生していると判断した際の前記内部抵抗の値が増加した後に減少した場合には転極が解消したと判定することを特徴とする。
このような構成によれば、転極の発生だけでなく、転極の解消も判断することができる。【００１９】
また、本発明は、前記判断手段は、前記充電可能電池に異常が発生していると判断した後に、前記充電可能電池の電圧が所定の閾値以上増加した場合には前記異常が解消したと判定することを特徴とする。
このような構成によれば、異常の発生だけでなく、解消についても判断することができる。【００２０】
また、本発明は、充電可能電池の異常を検出する充電可能電池異常検出方法において、前記充電可能電池の内部抵抗の値を算出する算出ステップと、前記充電可能電池が充電中または放電中であることを判定する判定ステップと、前記判定ステップにおいて前記充電可能電池が充電中または放電中と判定された場合に、前記算出ステップにおいて算出された前記内部抵抗の値が、放電中に減少するか、または、充電中に増加するときは、前記充電可能電池に異常が発生していると判断する判断ステップと、前記判断ステップにおける判断結果を提示する提示ステップと、を有することを特徴とする。
このような方法によれば、充電可能電池の異常を任意のタイミングで実施することが可能となる。
【発明の効果】
【００２１】
本発明によれば、充電可能電池の異常の検出を任意のタイミングで実施することが可能な充電可能電池異常検出装置および充電可能電池異常検出方法を提供することが可能となる。
【図面の簡単な説明】
【００２２】
【図１】本発明の実施形態に係る充電可能電池異常検出装置の構成例を示す図である。
【図２】図１の制御部の詳細な構成例を示すブロック図である。
【図３】転極について説明するための図である。
【図４】転極が発生した場合の電圧と内部抵抗の時間的変化を示す図である。
【図５】充電中に短絡が発生した場合の電圧と内部抵抗の時間的変化を示す図である。
【図６】放電中に短絡が発生した場合の電圧と内部抵抗の時間的変化を示す図である。
【図７】異常の種類、充電状態、および、内部抵抗の挙動の関係を示す図である。
【図８】内部抵抗の測定方法を示す図である。
【図９】図１に示す実施形態において実行される処理の一例を示すフローチャートである。
【図１０】図９に示す内部抵抗Ｒ算出処理の一例を示すフローチャートである。
【図１１】図９に示す充電中異常監視処理の一例を示すフローチャートである。
【図１２】図９に示す放電中異常監視処理の一例を示すフローチャートである。
【発明を実施するための形態】
【００２３】
次に、本発明の実施形態について説明する。
【００２４】
（Ａ）本発明の実施形態の構成の説明
図１は、本発明の実施形態に係る充電可能電池異常検出装置を有する車両の電源系統を示す図である。この図において、充電可能電池異常検出装置１は、制御部１０、電圧センサ１１、電流センサ１２、および、温度センサ１３を主要な構成要素としており、充電可能電池１４の内部における異常の発生を検出する。なお、温度センサ１３は含まない構成としてもよい。
【００２５】
ここで、制御部１０は、電圧センサ１１、電流センサ１２、および、温度センサ１３からの出力を参照し、充電可能電池１４の状態を検出するとともに、オルタネータ１５の発電電圧を制御することで充電可能電池１４の充電状態を制御する。なお、電圧センサ１１、電流センサ１２、および、温度センサ１３は、制御部１０に内蔵してもよいし、制御部１０の外部に設けるようにしてもよい。電圧センサ１１は、充電可能電池１４の端子電圧を検出し、制御部１０に通知する。電流センサ１２は、充電可能電池１４に流れる電流を検出し、制御部１０に通知する。温度センサ１３は、充電可能電池１４の電解液または周囲の環境温度を検出し、制御部１０に通知する。なお、制御部１０がオルタネータ１５の発電電圧を制御することで充電可能電池１４の充電状態を制御するのではなく、例えば、図示しないＥＣＵ（Electric Control Unit）が充電状態を制御するようにしてもよい。
【００２６】
充電可能電池１４は、電解液を有する充電可能電池、例えば、鉛蓄電池、ニッケルカドミウム電池、または、ニッケル水素電池等によって構成され、オルタネータ１５によって充電され、スタータモータ１７を駆動してエンジンを始動するとともに、負荷１８に電力を供給する。なお、充電可能電池１４は、複数のセルを直列接続して構成されている。オルタネータ１５は、エンジン１６によって駆動され、交流電力を発生して整流回路によって直流電力に変換し、充電可能電池１４を充電する。オルタネータ１５は、制御部１０によって制御され、発電電圧を調整することが可能とされている。
【００２７】
エンジン１６は、例えば、ガソリンエンジンおよびディーゼルエンジン等のレシプロエンジンまたはロータリーエンジン等によって構成され、スタータモータ１７によって始動され、トランスミッションを介して駆動輪を駆動し、車両に推進力を与えるとともに、オルタネータ１５を駆動して電力を発生させる。スタータモータ１７は、例えば、直流電動機によって構成され、充電可能電池１４から供給される電力によって回転力を発生し、エンジン１６を始動する。負荷１８は、例えば、電動ステアリングモータ、デフォッガ、シートヒータ、イグニッションコイル、カーオーディオ、および、カーナビゲーション等によって構成され、充電可能電池１４からの電力によって動作する。
【００２８】
図２は、図１に示す制御部１０の詳細な構成例を示す図である。この図に示すように、制御部１０は、ＣＰＵ（Central Processing Unit）１０ａ、ＲＯＭ（Read Only Memory）１０ｂ、ＲＡＭ（Random Access Memory）１０ｃ、通信部１０ｄ、Ｉ／Ｆ（Interface）１０ｅ、および、バス１０ｆを有している。ここで、ＣＰＵ１０ａは、ＲＯＭ１０ｂに格納されているプログラム１０ｂａに基づいて各部を制御する。ＲＯＭ１０ｂは、半導体メモリ等によって構成され、ＣＰＵ１０ａによって実行可能な命令群を含むプログラム１０ｂａ等を格納している。ＲＡＭ１０ｃは、半導体メモリ等によって構成され、プログラム１０ｂａを実行する際に生成されるデータや、後述するテーブル等のデータ１０ｃａを格納する。通信部１０ｄは、上位の装置であるＥＣＵ（Electronic Control Unit）等との間で通信を行い、検出した情報または制御情報を上位装置に通知する。Ｉ／Ｆ１０ｅは、電圧センサ１１、電流センサ１２、および、温度センサ１３から供給される信号をデジタル信号に変換して取り込むとともに、オルタネータ１５、および、スタータモータ１７等に駆動電流を供給してこれらを制御する。バス１０ｆは、ＣＰＵ１０ａ、ＲＯＭ１０ｂ、ＲＡＭ１０ｃ、通信部１０ｄ、および、Ｉ／Ｆ１０ｅを相互に接続し、これらの間で情報の授受を可能とするための信号線群である。なお、ＣＰＵ１０ａの代わりに、ＤＳＰ（Digital Signal Processor）、ＦＰＧＡ（Field Programmable Gate Array）、または、ＡＳＩＣ（Application Specified Integrated Circuit）を用いるようにしてもよい。
【００２９】
（Ｂ）本発明の実施形態の動作の説明
つぎに、本発明の実施形態の動作について説明する。なお、以下では、本発明の実施形態の動作原理について説明した後、詳細な動作について説明する。
【００３０】
まず、本発明の実施形態の動作原理について説明する。本発明の実施形態では、充電可能電池１４の内部抵抗の変化に基づいて、充電可能電池１４の異常である「転極」および「短絡」を検出する。図３は前者である転極の発生原理を模式的に説明する図である。図３は、６つのセルＣ１〜Ｃ６からなる鉛蓄電池を模式的に示している。図３（Ａ）は転極が生じる直前の状態を示し、図３（Ｂ）は転極が生じた直後の状態を示している。なお、セルＣ１〜Ｃ６内に示すハッチングは、セルＣ１〜Ｃ６のそれぞれの充電率を示している。また、鉛蓄電池の上部の突起はプラス（＋）とマイナス（−）の接続端子を示している。さらに、セルＣ１〜Ｃ６内に示すプラスとマイナスはセルＣ１〜Ｃ６のそれぞれの極性を示している。
【００３１】
図３（Ａ）では、セルＣ４だけが充電率が低い状態となっており、それ以外は高い状態となっている。このような状態において、負荷への給電が継続されると、セルＣ４は充電率が略０％となる。そして、さらに放電が継続されると、隣接するセルから通じる電流によってセルＣ４は逆方向に充電される状態になる。その結果、図３（Ｂ）に示すように、セルＣ４の極性は逆方向となるとともに、逆方向のハッチングで示すように充電率がマイナスの状態となる。
【００３２】
すなわち、転極とは、充電可能電池１４を構成する複数のセルのうちの少なくとも１つのセルが出力する電圧のプラスとマイナスが逆転する現象をいう。より詳細には、複数のセルを有する組バッテリーは、図３に示すように、セルによって充電率が異なる場合があり、そのような場合、全体としては残容量があるにも拘わらず、終止電圧（それ以上放電するとセルへの悪影響が出るおそれが有る電圧）に達したセルが生じる。そのようなセルを使い続けると、他のセルから流れる電流によって逆方向に充電されるため、プラスとマイナスが逆転する転極が生じる。このような転極が生じたセルは、充放電時に発熱し、その熱によって周囲のセルを劣化させることから、全体として劣化が進行する。
【００３３】
図４は、充電可能電池１４に転極が発生した場合の電圧と内部抵抗の時間的な変化を示す図である。より詳細には、図４は、６セルからなる鉛蓄電池において、負荷に電流を供給している際に、転極が発生した場合の電圧と内部抵抗の時間的変化を示す図である。図４において、横軸は計測開始からの経過時間（ｓ（秒））を示し、縦軸は充電可能電池の電圧（Ｖ）と、内部抵抗（ｍΩ）を示している。転極が生じる場合、所定のセルにおいて、充電率が略０に接近することから電圧が低下する。また、電圧の低下に伴って電極板の不活物質（硫酸鉛）が増加することから内部抵抗が増加する。
【００３４】
そして、図４に示す経過時間Ｔ（ｓ）において、転極が生じると、逆方向に充電されることから不活物質が増加から減少に転じ、内部抵抗が減少する。一方、電圧は、１セル分の電圧（約２Ｖ）が相殺されるので約１０Ｖ程度となる。
【００３５】
すなわち、充電可能電池において、転極が発生した場合には、内部抵抗が増加から減少に転じ、電圧が対応するセル分（図４では１セル分）だけ減少する。
【００３６】
本実施形態では、前述したような、電圧と内部抵抗の特徴的な変化に基づいて、充電可能電池１４の転極の発生を検出する。
【００３７】
一方、図５は、充電中の充電可能電池１４において短絡が発生した場合の電圧と内部抵抗の変化を示している。より詳細には、図５は、６セルからなる鉛蓄電池を充電している際に、短絡が発生した場合の電圧と内部抵抗の時間的変化を示す図である。図５において、横軸は計測開始からの経過時間（ｓ（秒））を示し、縦軸は充電可能電池の電圧（Ｖ）と、内部抵抗（ｍΩ）を示している。例えば、所定のセル内において、不活物質である硫酸鉛が極板から剥落し、正負の極板を架橋した状態になったとする。このような場合に充電がされると、電気抵抗が高い不活物質が、充電によって電気抵抗が低い鉛に変化する。この結果、正負の極板が短絡してしまう。
【００３８】
図５の例では、定電圧充電により、充電中であることから電圧は約１４Ｖで一定である。一方、内部抵抗は、短絡の進行とともに増加する。図４と比較すると、短絡の場合には、内部抵抗は増加から減少に転じることはない。なお、図５の例では、定電圧充電であるので、定電流充電の場合には電圧が減少することが想定される。
【００３９】
図６は、放電中の充電可能電池１４において短絡が発生した場合の電圧と内部抵抗の変化を示している。より詳細には、図６は、図５と同様の６セルからなる鉛蓄電池を放電している際に、短絡が発生した場合の電圧と内部抵抗の時間的変化を示す図である。図６において、横軸は計測開始からの経過時間（ｓ（秒））を示し、縦軸は充電可能電池の電圧（Ｖ）と、内部抵抗（ｍΩ）を示している。例えば、所定のセル内において、例えば、衝撃等に起因して、極板を構成する鉛または二酸化鉛が極板から剥落し、正負の極板を架橋すると、正負の極板が短絡してしまう。
【００４０】
図６の例では、放電中であることから電圧は減少傾向であり、短絡の進行とともに１セル分の電圧が消失することから約２Ｖ低下する。また、内部抵抗は、短絡の進行とともに増加する。なお、図５の場合と同様に、短絡の場合には、図４の場合のように、内部抵抗が増加から減少に転じることはない。
【００４１】
図７は、充電可能電池１４の異常の種類と、充放電状態と、内部抵抗の挙動の関係を示す図である。図７に示すように、転極は、放電中に発生し、内部抵抗が増加した後に減少する挙動を示す。また、短絡は、充電中と放電中の双方で発生し、内部抵抗が増加し、減少する挙動は示さない。但し、充電可能電池１４が正常である場合でも、放電中は内部抵抗が増加するが、短絡または転極が生じた場合には、内部抵抗の増加が正常時よりも大きい。
【００４２】
本実施形態では、充電可能電池１４の以上のような挙動に基づいて、充電可能電池１４の異常を検出する。
【００４３】
より詳細には、充電可能電池異常検出装置１は、正常時において、充電可能電池１４の充電率および内部抵抗を測定し、これらを基準充電率ＳＯＣ０および基準内部抵抗Ｒ０とする。なお、正常時とは、例えば、充電可能電池１４を車両に搭載した時点、または、搭載から一定の期間（例えば、数時間または数日）が経過した時点をいう。もちろん、短絡または転極等の異常が生じていない時点であれば、これ以外の時点としてもよい。
【００４４】
つぎに、充電可能電池異常検出装置１は、その時点の内部抵抗を算出する。図８（Ａ）は、充電可能電池１４の電圧と電流の変化を示す図である。なお、図８（Ａ）において、横軸は測定開始からの経過時間（ｓ）を示し、縦軸は電圧（Ｖ）および電流（Ａ）を示している。図８（Ｂ）は、図８（Ａ）の一部を拡大して示す図である。本実施形態では、例えば、１ｍｓ毎に変化電圧ΔＶと、変化電流ΔＩとを測定して、例えば、１０秒間に亘って累積加算してΔＶａとΔＩａを求め、これらの値からΔＶａ／ΔＩａによって内部抵抗Ｒ（＝ΔＶａ／ΔＩａ）の値を算出する。
【００４５】
つぎに、充電可能電池異常検出装置１は、その時点における充電率ＳＯＣを算出する。より詳細には、充電可能電池異常検出装置１は、エンジン１６が停止されて所定の時間（例えば、数時間）が経過し、充電可能電池１４の分極および成層化等が解消されて安定した状態において、充電可能電池１４の電圧を測定し、これを開回路電圧ＯＣＶとする。開回路電圧ＯＣＶと、充電率ＳＯＣとの間には、一定の関係が存在することから、例えば、開回路電圧ＯＣＶと充電率ＳＯＣの関係を示すテーブルに格納されている情報を参照することで、安定時の充電率ＳＯＣを求めることができる。エンジン１６が始動された後は、充電可能電池１４に対して入出力される電流を累積加算し、得られた値をこのようにして求めた安定時のＳＯＣに対して加算することで、その時点における充電率ＳＯＣを求めることができる。
【００４６】
つぎに、充電可能電池異常検出装置１は、その時点の充電率ＳＯＣと、基準充電率ＳＯＣ０を比較することで、充電可能電池１４が充電中であるか、または、放電中であるかを判定することができる。
【００４７】
充電可能電池１４が充電中であると判定した場合、充電可能電池異常検出装置１は、内部抵抗Ｒが増加しているか否かを判定する。より詳細には、充電可能電池異常検出装置１は、その時点の内部抵抗Ｒの値と、基準内部抵抗Ｒ０との比（Ｒ／Ｒ０）を計算し、これらの比が所定の閾値Ｔｈ１（Ｔｈ１＞１）よりも大きい場合（Ｒ／Ｒ０＞Ｔｈ１の場合）には内部抵抗が増加していると判定する。ところで、内部抵抗は、充電中は減少することが一般的である。このため、充電中において内部抵抗が増加する場合、異常であると判定することができる。また、その場合、図７に示すように、短絡であると判定することができる。
【００４８】
一方、充電可能電池１４が放電中であると判定した場合、充電可能電池異常検出装置１は、内部抵抗Ｒが増加しているか否かを判定する。より詳細には、充電可能電池異常検出装置１は、その時点の内部抵抗Ｒの値と、基準内部抵抗Ｒ０との比（Ｒ／Ｒ０）を計算し、これらの比が所定の閾値Ｔｈ２（Ｔｈ２＞１）よりも大きい場合（Ｒ／Ｒ０＞Ｔｈ２の場合）には内部抵抗が増加していると判定する。ところで、内部抵抗は、放電中は増加することが一般的であることから、放電中において内部抵抗が増加する場合、異常であると直ちに判定することはできない。そこで、閾値Ｔｈ２としては、通常時における内部抵抗の増加よりも大きい所定の値を設定し、Ｒ／Ｒ０＞Ｔｈ２の場合には異常の発生の可能性があると判定する。そして、内部抵抗Ｒの値を所定の時間に亘って算出し、内部抵抗が増加した後に減少に転じた場合には、図７に示す転極であると判定することができる。また、内部抵抗が増加して、減少に転じない場合には、短絡であると判定することができる。
【００４９】
なお、異常の発生を検出した場合、充電可能電池異常検出装置１は、上位装置（例えば、ＥＣＵ）に対して、異常が発生したことを通知するとともに、異常の内容として転極または短絡を通知することができる。
【００５０】
以上に説明したように、本発明の実施形態によれば、充電可能電池１４の内部抵抗の挙動が、通常の挙動（例えば、充電中は緩やかに減少し、放電中は緩やかに増加する挙動）とは異なることを検出することで、充電可能電池１４の転極および短絡を検出することができる。
【００５１】
また、本実施形態では、複数のセルを有する充電可能電池１４の全体としての内部抵抗を算出し、この内部抵抗に基づいて異常を判定するようにした。このため、例えば、特許文献１のように、個々のセルを測定する必要がないことから、様々な種類の充電可能電池１４の異常を簡易に検出することができる。また、本実施形態では、充電可能電池１４の充放電中に異常を検出することができるので、例えば、特許文献２のように、異常検出が特定のタイミングに限定されることなく、任意のタイミングで異常を検出することができる。
【００５２】
つぎに、図９〜図１２を参照して、図１に示す実施形態において実行される処理の詳細について説明する。
【００５３】
図９は、図１に示す制御部１０において実行される処理の詳細を説明するフローチャートである。図９に示すフローチャートの処理が開始されると、以下のステップが実行される。
【００５４】
ステップＳ１０では、制御部１０のＣＰＵ１０ａは、基準充電率ＳＯＣ０を算出する。より詳細には、ＣＰＵ１０ａは、充電可能電池１４の分極および成層化等が解消されて安定した状態において、充電可能電池１４の電圧を電圧センサ１１によって測定し、これを開回路電圧ＯＣＶとする。そして、開回路電圧ＯＣＶと充電率ＳＯＣの関係を示す情報が格納されたテーブル（例えば、ＲＡＭ１０ｃのデータ１０ｃａに格納されているテーブル）に格納されている情報（または開回路電圧ＯＣＶと充電率ＳＯＣの関係を示す数式）を用いることで、安定時における充電率ＳＯＣを求めることができる。ＣＰＵ１０ａは、充電可能電池１４に対して入出力される電流を電流センサ１２によって測定して累積加算し、このようにして求めた値をＳＯＣに対して加算することで、その時点における充電率ＳＯＣを求めることができる。以上の方法によって、所定のタイミング（例えば、エンジン１６を始動したタイミング）で、充電率ＳＯＣを求め、これを基準充電率ＳＯＣ０とすることができる。なお、開回路電圧ＯＣＶは、充電可能電池１４の電解液の温度によって変動することから、温度センサ１３によって充電可能電池１４の周囲温度を測定し、測定された周囲温度から電解液温度を推定し、開回路電圧ＯＣＶを推定した温度に基づいて補正するようにしてもよい。
【００５５】
ステップＳ１１では、ＣＰＵ１０ａは、基準内部抵抗Ｒ０を算出する。より詳細には、ＣＰＵ１０ａは、所定のタイミング（例えば、エンジン１６を始動したタイミング）において、図８を参照して説明したように、例えば、１ｍｓ毎に変化電圧ΔＶと、変化電流ΔＩとを測定して、例えば、１０秒間に亘って累積加算してΔＶａとΔＩａを求め、これらの値からΔＶａ／ΔＩａによって内部抵抗Ｒ（＝ΔＶａ／ΔＩａ）の値を算出する。なお、１ｍｓおよび１０秒は一例であって、これら以外の時間に設定してもよい。
【００５６】
ステップＳ１２では、ＣＰＵ１０ａは、ステップＳ１０で算出した基準充電率ＳＯＣ０と、ステップＳ１１で算出した基準内部抵抗Ｒ０とを、例えば、ＲＡＭ１０ｃに記憶する。
【００５７】
ステップＳ１３では、ＣＰＵ１０ａは、その時点における内部抵抗Ｒを算出する処理を実行する。なお、ステップＳ１３の処理の詳細は、図１０を参照して後述する。
【００５８】
ステップＳ１４では、ＣＰＵ１０ａは、その時点における充電率ＳＯＣを算出する。より詳細には、安定時におけるＯＣＶから、安定時における充電率ＳＯＣを求め、充電可能電池１４に対して入出力される電流を電流センサ１２によって測定して累積加算し、得られた値を前述した安定時のＳＯＣに対して加算することで、その時点における充電率ＳＯＣを求めることができる。
【００５９】
ステップＳ１５では、ＣＰＵ１０ａは、ステップＳ１４で求めたその時点の充電率ＳＯＣとステップＳ１０で求めた基準充電率ＳＯＣ０を比較し、ＳＯＣ＜ＳＯＣ０を満たすか否かを判定し、ＳＯＣ＜ＳＯＣ０を満たす場合（ステップＳ１５：Ｙ）にはステップＳ１７に進み、それ以外の場合（ステップＳ１５：Ｎ）にはステップＳ１６に進む。より詳細には、ＳＯＣ＜ＳＯＣ０を満たす場合には、放電中であると判定できるので、その場合にはステップＳ１７の放電中異常監視処理に進み、ＳＯＣ≧ＳＯＣ０を満たす場合には、充電中（またはＳＯＣが変化しない状態）であると判定できるので、その場合にはステップＳ１７の充電中異常監視処理に進む。なお、ステップＳ１６の充電中異常監視処理と、ステップＳ１７の放電中異常監視処理の詳細については、図１１および図１２を参照して後述する。
【００６０】
ステップＳ１８では、ＣＰＵ１０ａは、処理を継続するか否かを判定し、処理を継続すると判定した場合（ステップＳ１８：Ｙ）にはステップＳ１３に戻って前述の場合と同様の処理を繰り返し、それ以外の場合（ステップＳ１８：Ｎ）には処理を終了する。
【００６１】
つぎに、図１０を参照して、図９のステップＳ１３に示す「内部抵抗Ｒ算出処理」の詳細について説明する。図１０に示すフローチャートの処理が開始されると、以下のステップが実行される。
【００６２】
ステップＳ３０では、ＣＰＵ１０ａは、電圧センサ１１の出力を参照し、所定の時間内（例えば、１０ｍｓ内）の変化電圧ΔＶを測定する。
【００６３】
ステップＳ３１では、ＣＰＵ１０ａは、ステップＳ３０で測定した変化電圧ΔＶを累積加算してΔＶａとする。すなわち、ΔＶａ←ΔＶａ＋ΔＶを求める。
【００６４】
ステップＳ３２では、ＣＰＵ１０ａは、電流センサ１２の出力を参照し、所定の時間内（例えば、１０ｍｓ内）の変化電流ΔＩを測定する。
【００６５】
ステップＳ３３では、ＣＰＵ１０ａは、ステップＳ３２で測定した変化電流ΔＩを累積加算してΔＩａとする。すなわち、ΔＩａ←ΔＩａ＋ΔＩを求める。
【００６６】
ステップＳ３４では、ＣＰＵ１０ａは、所定の時間が経過したか否かを判定し、所定の時間（例えば、１０秒）が経過したと判定した場合（ステップＳ３４：Ｙ）にはステップＳ３５に進み、それ以外の場合（ステップＳ３４：Ｎ）にはステップＳ３０に戻って前述の場合と同様の処理を繰り返す。
【００６７】
ステップＳ３５では、ＣＰＵ１０ａは、Ｒ＝ΔＶａ／ΔＩａによって、内部抵抗Ｒの値を求める。そして、元の処理に復帰（リターン）する。
【００６８】
以上の処理によれば、その時点における内部抵抗Ｒを求めることができる。
【００６９】
つぎに、図１１を参照して、図９のステップＳ１６に示す「充電中異常監視処理」の詳細について説明する。図１１に示すフローチャートの処理が開始されると、以下のステップが実行される。
【００７０】
ステップＳ５０では、ＣＰＵ１０ａは、ステップＳ１３で算出した内部抵抗Ｒと、ステップＳ１１で算出した基準内部抵抗Ｒ０とに基づいて、Ｒ／Ｒ０＞Ｔｈ１を満たすか否かを判定し、Ｒ／Ｒ０＞Ｔｈ１を満たすと判定した場合（ステップＳ５０：Ｙ）にはステップＳ５１に進み、それ以外の場合（ステップＳ５０：Ｎ）には元の処理に復帰（リターン）する。
【００７１】
ステップＳ５１では、ＣＰＵ１０ａは、充電可能電池１４を充電中において、内部抵抗Ｒが増加していることから、図７に基づいて、充電可能電池１４の極板が短絡している可能性があると判定する。
【００７２】
ステップＳ５２では、ＣＰＵ１０ａは、通信部１０ｄを介して、図示しない上位装置（例えば、ＥＣＵ）に対して、短絡の可能性がある旨を通知する。
【００７３】
以上の処理によれば、充電可能電池１４を充電中おいて、内部抵抗が増加しているときは、短絡の可能性があると判定し、上位装置に通知することができる。
【００７４】
つぎに、図１２を参照して、図９のステップＳ１７に示す「放電中異常監視処理」の詳細について説明する。図１２に示すフローチャートの処理が開始されると、以下のステップが実行される。
【００７５】
ステップＳ７０では、ＣＰＵ１０ａは、ステップＳ１３で算出した内部抵抗Ｒと、ステップＳ１１で算出した基準内部抵抗Ｒ０とに基づいて、Ｒ／Ｒ０＞Ｔｈ２を満たすか否かを判定し、Ｒ／Ｒ０＞Ｔｈ２を満たすと判定した場合（ステップＳ７０：Ｙ）にはステップＳ７１に進み、それ以外の場合（ステップＳ７０：Ｎ）には元の処理に復帰（リターン）する。なお、ステップＳ７０における閾値Ｔｈ２は、ステップＳ５０における閾値Ｔｈ１と比較すると、Ｔｈ２＞Ｔｈ１となるように設定することができる。すなわち、充電可能電池１４を充電中は、内部抵抗が減少することが一般的であることから、少しでも増加している場合には異常と判断できる。一方、放電中は内部抵抗が増加することが一般的であるため、閾値Ｔｈ２はそのような増加に比較して大きい値に設定する必要がある。なお、閾値Ｔｈ２を、放電電流の大小に応じて変化させるようにしてもよい。すなわち、放電電流が大きい場合には閾値Ｔｈ２として大きい値を採用し、放電電流が小さい場合には閾値Ｔｈ２として小さい値を採用することができる。
【００７６】
ステップＳ７１では、ＣＰＵ１０ａは、その時点における内部抵抗Ｒを算出する処理を実行する。なお、この処理は、図１０を参照して前述した処理と同様である。
【００７７】
ステップＳ７２では、ＣＰＵ１０ａは、ステップＳ７１で算出した内部抵抗Ｒを、例えば、ＲＡＭ１０ｃに時系列に応じて記憶する。
【００７８】
ステップＳ７３では、ＣＰＵ１０ａは、所定の時間（例えば、１時間）が経過したか否かを判定し、所定の時間が経過したと判定した場合（ステップＳ７３：Ｙ）にはステップＳ７４に進み、それ以外の場合（ステップＳ７３：Ｎ）にはステップＳ７１に戻って前述の場合と同様の処理を繰り返す。なお、時間の経過とともに、内部抵抗の変化を観察しておき、内部抵抗が増加後に減少した場合には、所定の時間が経過する前であっても、ステップＳ７４に進むようにしてもよい。
【００７９】
ステップＳ７４では、ＣＰＵ１０ａは、ステップＳ７２においてＲＡＭ１０ｃに時系列に応じて格納されている複数の内部抵抗Ｒの値を参照し、内部抵抗Ｒが増大後、減少しているか否かを判定し、増大後、減少していると判定した場合（ステップＳ７４：Ｙ）にはステップＳ７５に進み、それ以外の場合（ステップＳ７４：Ｎ）にはステップＳ７６に進む。
【００８０】
ステップＳ７５では、ＣＰＵ１０ａは、内部抵抗Ｒの値が増大後に減少していることから、図７に基づいて、転極の可能性があると判断する。
【００８１】
ステップＳ７６では、ＣＰＵ１０ａは、内部抵抗Ｒの値が増大後に減少していないことから、図７に基づいて、短絡の可能性があると判断する。
【００８２】
ステップＳ７７では、ＣＰＵ１０ａは、通信部１０ｄを介して、上位装置に対して、転極または短絡の可能性がある旨を通知する。そして、元の処理に復帰（リターン）する。
【００８３】
以上の処理によれば、充電可能電池１４を放電中において、内部抵抗の挙動に基づいて、短絡または転極の可能性を判断することができる。
【００８４】
（Ｃ）変形実施形態の説明
以上の実施形態は一例であって、本発明が上述したような場合のみに限定されるものでないことはいうまでもない。例えば、以上の実施形態では、内部抵抗Ｒは、図９に示す処理によって求めるようにしたが、これ以外の方法によって内部抵抗Ｒの値を求めるようにしてもよい。例えば、負荷に電流が流れる場合の電圧と電流を求め、これらの電圧と電流から内部抵抗を求めるようにしてもよい。あるいは、充電可能電池１４の等価回路を設定し、充電可能電池１４の電圧と電流を測定し、これらの電圧と電流に基づいて等価回路を学習処理によって求めるようにしてもよい。
【００８５】
また、充電可能電池１４の放電中の異常については、ステップＳ７０に示すように、Ｒ／Ｒ０＞Ｔｈ２に基づいて判断するようにした。しかしなから、放電中は、内部抵抗は増加することが一般的であることから、放電電流の値が大きい場合には、誤判定する可能性がある。そこで、放電電流に応じて閾値Ｔｈ２を増減するようにしてもよい。例えば、放電電流と閾値Ｔｈ２とを対応付けて格納するテーブルを準備し、放電電流に応じた閾値Ｔｈ２をテーブルから取得するようにしてもよい。あるいは、充電率ＳＯＣの変化をΔＳＯＣとし、内部抵抗Ｒの変化をΔＲとするとき、ΔＲ／ΔＳＯＣを求めて、この値と所定の閾値Ｔｈ３（閾値Ｔｈ２とは別の閾値）とを比較するようにしてもよい。すなわち、ΔＲ／ΔＳＯＣが所定の閾値Ｔｈ３（＜０）より小さい場合に異常と判定してもよい。そのような方法によれば、充電電流の大小による影響を少なくすることができる。
【００８６】
また、ステップＳ５０およびステップＳ７０では、Ｒ／Ｒ０と閾値Ｔｈ１，Ｔｈ２との大小関係に基づいて異常の有無を判定するようにしたが、ＲとＲ０の差分値と閾値との大小関係に基づいて、異常の有無を判定するようにしてもよい。
【００８７】
また、以上の実施形態では、異常を検出した場合には上位装置であるＥＣＵ（外部のプロセッサ）に通知するようにしたが、例えば、短絡を検出した場合にはその旨をＥＣＵに通知するとともにオルタネータ１５から大電流が流れることを防止するために、充電を停止するようにしてもよい。また、短絡を検出した後は、エンジン１６の再始動ができなくなる可能性が高いので、ＥＣＵがアイドリングストップの実行を停止したり、エンジン１６の停止前に整備工場、ディーラー、または、ガソリンスタンド等に行くように促したりしてもよい。さらに、転極を検出した場合には、転極を解消するために、オルタネータ１５を制御して、充電可能電池１４を迅速に充電するようにしてもよい。
【００８８】
また、以上の実施形態では、充電可能電池１４の電解液の温度については考慮していないが、電解液の温度を温度センサ１３によって推定し、推定した温度に基づいて標準状態の値に規格化するようにしてもよい。例えば、温度センサ１３によって推定された電解液の温度が３０℃である場合には、標準状態である２５℃における値に、例えば、変換テーブル等を用いて規格化するようにしてもよい。
【００８９】
また、以上の実施形態では、充電可能電池１４の内部抵抗の変化に基づいて異常の有無を判断するようにしたが、内部抵抗に加えて、充電可能電池１４の電圧も参照して判断するようにしてもよい。例えば、内部抵抗が変化した場合であって、所定の電圧降下（例えば、充電可能電池１４を構成するセルに対応する電圧である２Ｖ程度の電圧降下）が生じた場合には、異常と判定するようにしてもよい。単セル分の電圧降下を生じたことを示す電圧閾値の求め方としては、例えば、開回路電圧を使用して求めることができる。直列に接続したセル数をｎ個とすると、単セル分の電圧が降下した電池の電圧は、開回路電圧×（ｎ−１/ｎ）と示すことができる。このような値に適度なマージンを付加した値を閾値と設定することができる。
【００９０】
また、充電可能電池１４に異常が発生していると判断した時点以降のある時点における内部抵抗の値Ｒａを、異常と判定した時点以降の内部抵抗の最大値Ｒｍａｘで除算して得た値が、所定の閾値Ｔｈ４未満となった場合（Ｒａ／Ｒｍａｘ＜Ｔｈ４の場合）には、異常が解消したと判定するようにしてもよい。すなわち、振動等によって短絡が解消する場合、解消後における内部抵抗Ｒａは、短絡が発生したと判定した時点以降の内部抵抗Ｒｍａｘよりも値が小さくなる。このため、Ｒａ／Ｒｍａｘ＜Ｔｈ４を満たすか判定することで、短絡が解消したか否かを判定することができる。また、転極が解消した場合、転極解消過程において、転極発生と同様に内部抵抗値が増加した後に減少することから、増加した際のピークの抵抗値をＲｍａｘとし、その後の内部抵抗の値をＲａとすると、前述したＲａ／Ｒｍａｘ＜Ｔｈ４を満たすか判定することで、転極が解消したか否かを判定することができる。さらに、充電可能電池１４に異常が発生していると判断した後に、充電可能電池１４の電圧が所定の閾値（例えば、開回路電圧×（ｎ−１/ｎ））以上増加した場合には異常が解消したと判断するようにしてもよい。
【００９１】
また、図９〜図１２に示すフローチャートは一例であって、本発明がこれらのフローチャートの処理のみに限定されるものではない。
【符号の説明】
【００９２】
１  充電可能電池異常検出装置
１０  制御部
１０ａ  ＣＰＵ
１０ｂ  ＲＯＭ
１０ｃ  ＲＡＭ
１０ｄ  通信部
１０ｅ  Ｉ／Ｆ
１１  電圧センサ
１２  電流センサ
１３  温度センサ
１４  充電可能電池
１５  オルタネータ
１６  エンジン
１７  スタータモータ
１８  負荷
【図１】
2019131741.tif 000003
【図２】
2019131741.tif 000004
【図３】
2019131741.tif 000005
【図４】
2019131741.tif 000006
【図５】
2019131741.tif 000007
【図６】
2019131741.tif 000008
【図７】
2019131741.tif 000009
【図８】
2019131741.tif 000010
【図９】
2019131741.tif 000011
【図１０】
2019131741.tif 000012
【図１１】
2019131741.tif 000013
【図１２】
2019131741.tif 000014
【国際調査報告】
2019131741.tif 000015
2019131741.tif 000016
2019131741.tif 000017